(57)【要約】電動送風機であって、固定子と、回転子と、ブラケットと、回転ファンと、エアガイドと、ファンケースとを備えている。さらに、エアガイドは、仕切板と、エアガイドに設けられ、回転ファンの外周側に配設されたディフューザと、仕切板傾斜部と、案内翼とを備えている。ファンケースは、ファン対面部と、ファン対面部の外周から曲がるファンケース肩部と、ファンケース肩部から軸方向に円筒状に延伸する円筒部とを有する。そして、ファンケース肩部を、実質的に直角に曲がるように形成している。
2012111318.tif 000002
【特許請求の範囲】
【請求項１】
固定子と、前記固定子内側に出力軸を中心として回転自在に支持された回転子と、前記固定子を支持するブラケットと、前記出力軸の軸方向の一端部に取り付けられた回転ファンと、前記ブラケットと前記回転ファンとの間に配設されたエアガイドと、中央部に空気吸入口を有し、前記エアガイドと前記回転ファンとを覆うファンケースとを備えた電動送風機であって、
前記エアガイドは、
前記ブラケットと前記回転ファンとの間を仕切る仕切板と、
前記回転ファンの外周側に配設され、複数のディフューザ翼で構成されるディフューザと、
前記ディフューザの底面に当接して傾斜する仕切板傾斜部と、
前記仕切板を介して前記ディフューザの裏面に形成された案内翼とを備え、
前記ファンケースは、
前記回転ファンと対面して径方向に広がるファン対面部と、
前記ファン対面部の最外周箇所から前記軸方向に曲がるファンケース肩部と、
前記ファンケース肩部から前記軸方向に円筒状に延伸する円筒部とを有し、
前記ファンケース肩部を、実質的に直角に曲がるように形成したことを特徴とする電動送風機。
【請求項２】
固定子と、前記固定子内側に出力軸を中心として回転自在に支持された回転子と、前記固定子を支持するブラケットと、前記出力軸の軸方向の一端部に取り付けられた回転ファンと、前記ブラケットと前記回転ファンとの間に配設されたエアガイドと、中央部に空気吸入口を有し、前記エアガイドと前記回転ファンとを覆うファンケースとを備えた電動送風機であって、
前記エアガイドは、
前記ブラケットと前記回転ファンとの間を仕切る仕切板と、
前記回転ファンの外周側に配設され、複数のディフューザ翼で構成されるディフューザと、
前記ディフューザの底面に当接して傾斜する仕切板傾斜部と、
前記仕切板を介して前記ディフューザの裏面に形成された案内翼とを備え、
前記ファンケースは、
前記回転ファンと対面して径方向に広がるファン対面部と、
前記ファン対面部の最外周箇所から前記軸方向に円弧状に曲がるファンケース肩部と、
前記肩部から前記軸方向に円筒状に延伸する円筒部とを有し、
前記ディフューザ翼は、前記ディフューザの風路出口側における角部を円弧状に切削したディフューザ肩部を有し、
前記ファンケース肩部と前記ディフューザ肩部との子午面において、前記ファンケース肩部の円弧半径を、前記ディフューザ肩部の円弧半径の半分以下としたことを特徴とする電動送風機。
【請求項３】
前記ファンケース肩部の前記円弧を形成するための子午面における切削面積を、前記ディフューザ肩部の円弧を形成するための子午面における切削面積の４分の１以下としたことを特徴とする請求項２に記載の電動送風機。
【請求項４】
請求項１から請求項３のいずれか１項に記載の電動送風機を備えた電気掃除機。
【発明の詳細な説明】
【技術分野】
【０００１】
本発明は、電動送風機およびそれを備えた電気掃除機に関する。
【背景技術】
【０００２】
従来、掃除機等に用いられる電動送風機に対して低騒音化を図る検討がされてきた。このような電動送風機は、回転ファン１０５の遠心力により得られた動圧をエアガイドにより静圧に変換して空気出力を発生する。【０００３】
図１０は、従来の電動送風機を示す断面図である。図１０に示す電動送風機１５０は、ブラケット１０３において、電動機部としての固定子１０１および回転子１０２を取り付けている。ブラケット１０３から突出した回転子１０２の出力軸１０４の先端には、回転ファン１０５が取り付けられている。また、回転ファン１０５と電動機部との間を仕切るようにして、エアガイド１０６が取り付けられている。この電動機部を駆動することにより、出力軸１０４に固定された回転ファン１０５が回転し、開口部１０５ｂから空気を吸引する流れが生じる。この流れは軸方向から半径方向に９０度曲げられ、回転ファン１０５の羽根１０５ｄによって動圧を与えられながら、半径方向外側に向かって流れる。回転ファン１０５から流出された流れは、回転ファン１０５の外周側に配置されたエアガイド１０６のディフューザ１０６ａから構成される流路を通過することによって減速され、動圧から静圧に変換される。ディフューザ１０６ａを通過した流れは、エアガイド１０６の外周とファンケース１０８の円筒部１０８ｄにて構成される戻り流路１０９ｂを通って１８０度方向転換される。さらに、この流れは、仕切板１０６ｃを介し、エアガイド１０６の案内翼１０６ｂにより電動機内部に誘導され、電動機部を冷却しながら外に放出される。【０００４】
また、図１０に示すように、ファンケース１０８は、ファン対面部１０８ｃとファンケース肩部１０８ｂと円筒部１０８ｄとを有した形状を成している。ファン対面部１０８ｃは、回転ファン１０５と対面し、空気吸入口１０８ａを中心として径方向に広がっている。ファンケース肩部１０８ｂは、ファン対面部１０８ｃの最外周箇所から出力軸１０４と平行するように曲がっている。そして、円筒部１０８ｄは、ファンケース肩部１０８ｂから出力軸１０４に平行して円筒状に延伸している。そして、ディフューザ１０６ａを通過した空気流れを１８０度方向転換させるために、ファンケース肩部１０８ｂには、大きな円弧状となるフィレットが形成されている。ここで、フィレットとは、面どうしの接合部に対して、その接合部を円弧状の断面でつないで丸めた加工形状である。また、ファンケース肩部１０８ｂに対応して、ディフューザ１０６ａの流路出口側の角部にも、ディフューザ肩部１０６ｅとして円弧状を形成するように切削した加工が施されている。【０００５】
図１１は、従来の電動送風機のファンケース肩部１０８ｂとディフューザ肩部１０６ｅとの形状を模式的に示した図である。図１１では、ファンケース肩部１０８ｂとディフューザ肩部１０６ｅとの子午面形状で示している。すなわち、図１１は、ファンケース肩部１０８ｂとディフューザ肩部１０６ｅとを出力軸１０４に沿って切った断面形状であり、この断面形状には、ディフューザ肩部１０６ｅの形状がこの断面に回転投影されている。図１１に示すように、従来のファンケース肩部１０８ｂおよびディフューザ肩部１０６ｅは、いずれも半径Ｒの円弧状のフィレットが形成されている。従来のファンケース肩部１０８ｂとディフューザ肩部１０６ｅとの円弧半径比は、同じである。【０００６】
また、このような電動送風機は、設計手法として、使用される電気機器の動作点、たとえば流量や圧力や回転数から、回転ファン、エアガイドそれぞれの内径や外径、入口高さや出口高さが決定される。そして、電動送風機の低騒音化を図るためには、設計に必要なこれらの要素に加えて、圧力や流速の急激な変動の少ない流路の形状を形成することが必要である。これにより、乱流などの発生を抑制することできるためである。そのために、翼形状設計に加えて、エアガイドの各部の形状などを工夫したり（例えば、特許文献１、２参照）、回転ファンの後縁とディフューザの前縁との距離を大きくして、回転ファンの羽根後縁がディフューザ前縁を横切るときの圧力変動を抑えたり、回転ファンの回転数を低下させたりするなどの手段が採られている。【０００７】
しかしながら、上述した回転ファンの後縁とディフューザの前縁の距離を大きくするような手法では、羽根後縁で空気のすべりや、還流が大きくなることによる損失の増加が起こる。さらに、電動送風機の回転数を低下させると、回転ファンが発生する動圧の減少により、送風効率が低下する。【０００８】
また、掃除機などの製品本体において防音材や騒音減衰機構などを設けることにより低騒音化を図る手段もある。しかし、これらは空気の流れる流路圧損の増加や、製品本体の重量化につながるので、掃除機の吸引力の低下や操作性が悪化する。
【先行技術文献】
【特許文献】
【０００９】
【特許文献１】特開昭６１−４０４９５号公報
【特許文献２】特開２００５−２２０８５３号公報
【発明の概要】
【００１０】
本発明は、送風機の出力を低下させることなく騒音を低下させることができる電気機器等を提供するものである。
【００１１】
本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。また、ファンケースは、回転ファンと対面して径方向に広がるファン対面部と、ファン対面部の最外周箇所から軸方向に曲がるファンケース肩部と、ファンケース肩部から軸方向に円筒状に延伸する円筒部とを有する。そして、ファンケース肩部を、実質的に直角に曲がるように形成した構成である。
【００１２】
また、本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。ファンケースは、回転ファンと対面して径方向に広がるファン対面部と、ファン対面部の最外周箇所から軸方向に円弧状に曲がるファンケース肩部と、肩部から軸方向に円筒状に延伸する円筒部とを有する。ディフューザ翼は、ディフューザの風路出口側における角部を円弧状に切削したディフューザ肩部を有する。そして、ファンケース肩部とディフューザ肩部との子午面において、ファンケース肩部の円弧半径を、ディフューザ肩部の円弧半径の半分以下とした構成である。
【００１３】
上記構成によれば、ディフューザ外周で発生する旋回流が、ディフューザ後縁からファンケース肩部までの空間で構成される流路に安定して流れる。このため、乱流が抑制されて圧力変動が減少し、本電動送風機の騒音を低減することができる。
【００１４】
また、本発明の電気掃除機は、上記電動送風機を備える。
【００１５】
上記構成によれば、本体の大きさを大きくしたり、重くしたりすることなく、強い吸引力を確保したまま、本電気掃除機の運転音を低減させることができる。
【００１６】
したがって、本発明の電動送風機によれば、送風機の出力を低下させることなく騒音を低下させることができ、搭載する機器の低騒音化を実現することが可能である。
【図面の簡単な説明】
【００１７】
【図１】図１は、本発明の第１の実施の形態における電動送風機の断面図である。
【図２】図２は、回転ファンおよびエアガイドの上面図である。
【図３Ａ】図３Ａは、第１の実施の形態における回転ファンと、ディフューザとを通る流体の流体解析による流線図である。
【図３Ｂ】図３Ｂは、比較例における回転ファンと、ディフューザとを通る流体の流体解析による流線図である。
【図４Ａ】図４Ａは、ファンケースと、ディフューザとを通る流体の、圧力波形図である。
【図４Ｂ】図４Ｂは、ファンケースと、ディフューザとを通る流体の、圧力振幅図である。
【図５Ａ】図５Ａは、第１の実施の形態における、電動送風機の変形例の断面図である。
【図５Ｂ】図５Ｂは、第１の実施の形態における、電動送風機の他の変形例の断面図である。
【図６Ａ】図６Ａは、第２の実施の形態における、ディフューザの断面図である。
【図６Ｂ】図６Ｂは、第２の実施の形態における、ファンケースの断面図である。
【図７】図７は、ディフューザ肩部と、ファンケース肩部との円弧形状の半径比に対するディフューザ出口付近の圧力変動を示す図である。
【図８Ａ】図８Ａは、ディフューザ肩部と、ファンケース肩部との円弧形状の半径比の異なる騒音波形図である。
【図８Ｂ】図８Ｂは、ディフューザ肩部と、ファンケース肩部との円弧形状の半径比の異なる騒音波形の比較図である。
【図９】図９は、本発明の第３の実施の形態における電気掃除機の外観図である。
【図１０】図１０は、従来の電動送風機を示す断面図である。
【図１１】図１１は、従来の電動送風機のファンケース肩部とディフューザ肩部との形状を模式的に示した図である。
【発明を実施するための形態】
【００１８】
以下、図面を参照しながら、本発明の実施の形態について説明する。
【００１９】
（第１の実施の形態）
本発明の第１の実施の形態における、電気機器等に用いられる電動送風機５０について説明する。
【００２０】
図１は、本発明の第１の実施の形態における、電動送風機５０の断面図である。
【００２１】
電動送風機５０は、電動機７と、ブラケット３と、回転ファン５と、エアガイド６と、ファンケース８とを備えている。また、電動機７は、固定子１と、回転子２と、ブラシ部３０とを備えている。
【００２２】
電動機７において、固定子１は、界磁コア１１に、界磁巻線１２が巻回されて形成されている。
【００２３】
回転子２は、電機子コア２１、電機子巻線２２、整流子２３および出力軸４により構成されている。電機子巻線２２は、部分的に整流子２３に接続されている。電機子コア２１には、電機子巻線２２が巻回されている。この整流子２３と、電機子コア２１とは、出力軸４に結合されている。このような回転子２は、固定子１の内側に設けられ、出力軸４を中心に、回転自在に支持されている。
【００２４】
ブラケット３の内側には、固定子１が固定されている。また、ブラケット３には、ブラシ保持器３１が固定されている。ブラシ保持器３１の内部には、一対のカーボンブラシ３２が保持されている。その一対のカーボンブラシ３２は、整流子２３に当接している。
【００２５】
ブラシ部３０は、このようなカーボンブラシ３２と、ブラシ保持器３１とを備えている。
【００２６】
出力軸４は、その長手方向である軸方向に延伸し、出力軸４の一端は、ブラケット３の上部から突出している。出力軸４は、回転自在となるように出力軸４の両端が、それぞれ軸受３５によって支承されている。
【００２７】
また、ブラケット３から突出した出力軸４の端部に回転ファン５が、取り付けられている。エアガイド６は、回転ファン５の外周に、通風路を形成するように設けられている。
【００２８】
回転ファン５は、側板５ａと主板５ｃとを有するとともに、側板５ａと主板５ｃとの間に、羽根５ｄが配置固定されている。回転ファン５は、それぞれの羽根５ｄが等間隔で渦巻き状となるように、その主板５ｃ上に複数の羽根５ｄを有している。さらに、回転ファン５は、空気を吸引するために、その中央部での側板５ａに開口部５ｂが形成されている。
【００２９】
回転ファン５の外周には、通風路を形成するようにエアガイド６が設けられている。そして、ブラケット３の開口した側を覆うように、ファンケース８が取り付けられている。ファンケース８は、中央部に空気吸入口８ａを有し、エアガイド６および回転ファン５を覆うように配置されている。
【００３０】
ファンケース８は、ファン対面部８ｃとファンケース肩部８ｂと円筒部８ｄとを有した形状を成している。ファン対面部８ｃは、回転ファン５と軸方向に対面し、空気吸入口８ａを中心として径方向へ円形状に広がっている。ファンケース肩部８ｂは、ファン対面部８ｃの最外周箇所から電動機７側へと、軸方向に曲がっている。そして、円筒部８ｄは、ファンケース肩部８ｂから電動機７側へと、軸方向に円筒状に延伸している。
【００３１】
エアガイド６は、仕切板６ｃと、ディフューザ６ａと、仕切板傾斜部６ｄと、案内翼６ｂとを有する。
【００３２】
仕切板傾斜部６ｄは、ディフューザ６ａの底面に当接して、傾斜するように設けられる。すなわち、エアガイド６の吸入口側から外周方向の出口側に向けて、電動機７を配置した側へと傾斜している。
【００３３】
さらに、本実施の形態では、ファンケース８において、ファンケース肩部８ｂを実質的に直角に曲がるように形成している。より具体的には、ファンケース８の内面側でのファンケース肩部８ｂを略直角の形状とし、この形状が周方向に連続するように形成している。本実施の形態では、このようなファンケース肩部８ｂを設けることにより、ディフューザ６ａの外周とファンケース肩部８ｂとの間に十分な空間を確保し、この空間における旋回流の安定化を図っている。
【００３４】
以上のように構成された電動送風機５０において、電動機７に、外部の電源から電力が供給されると、電機子電流が、カーボンブラシ３２及び整流子２３を介して電機子巻線２２に流れる。また、固定子１の界磁巻線１２には、界磁電流が流れる。そして、界磁電流によって界磁コア１１で発生した磁束と、電機子巻線２２を流れる電機子電流との間で力が発生する。これにより、出力軸４が回転する。
【００３５】
出力軸４の回転に伴い、出力軸４にナットなどで固定された回転ファン５が回転する。この回転ファン５の回転により、回転ファン５の内部の空気の流速が増加し、側板５ａに設けられた開口部５ｂには、吸引する空気の流れが生じる。この流れは、軸方向から径方向に９０度程度曲げられ、羽根５ｄによって動圧を与えられながら、径方向外側に向かって流れる。
【００３６】
回転ファン５から流出した空気は、回転ファン５の外周側に配置されたエアガイド６へと導かれる。そして、この流れは、エアガイド６の表面側にあるディフューザ６ａで形成される閉流路を通過することによって減速される。
【００３７】
ディフューザ６ａは、複数のディフューザ翼で構成され、ディフューザ翼間に閉流路が形成される。これにより、吸入された空気は、エアガイド６によって動圧から静圧に変換される。
【００３８】
閉流路を通過した気流は、エアガイド６の外周と、ファンケース８の内面とにより構成される戻り流路９ｂを通って１８０度方向転換される。また、気流を効率よく方向転換させるため、ディフューザ６ａの閉流路出口側の角部には、ディフューザ肩部６ｅとして円弧状となるＲ（丸み）形状を形成している。方向転換された気流は、仕切板６ｃを介してエアガイド６の裏面側にある案内翼６ｂにより、電動機７の内部に誘導される。さらに、気流は、電動機７を冷却しながら外に放出される。
【００３９】
図２は、回転ファン５およびエアガイド６の上面図である。
【００４０】
回転ファン５は、図２に示す矢印の方向に回転する。回転ファン５の回転に伴い、羽根５ｄの圧力面５ｆは流体に対して大きな仕事をするため、圧力面５ｆに高い圧力がかかる。反対に、羽根５ｄの負圧面５ｇは流体に対して行う仕事が小さいため、負圧面５ｇには、圧力面５ｆよりも低い圧力がかかる。したがって、ディフューザ６ａの流路入口６ｈに対して、圧力面５ｆ側が対面しているときは、閉流路１９内の圧力が高くなり、負圧面５ｇ側が対面しているときは、閉流路１９内の圧力が低くなる。その結果、回転ファン５の回転に伴う閉流路１９の圧力の変化率は、回転ファン５の後縁５ｅが通過する際に最も大きくなる。したがって、静止座標系に存在するエアガイド６には、回転ファン５の一回転につき、羽根５ｄの枚数倍の圧力変動が生じる。
【００４１】
回転ファン５の後縁５ｅでのこのような圧力変動が、電動送風機５０から発生する騒音のもっとも大きな原因となっている。
【００４２】
回転ファン５の後縁５ｅから放出された空気の流れは、ディフューザ流路９ａを通過して、戻り流路９ｂで隣接するディフューザ流路９ａからの流れと合成される。この流れのうち、負荷点に応じた流量の流体は、戻り流路９ｂから案内翼６ｂ（図１）を経て電動機７（図１）側に流れる。それ以外の流体は、旋回流としてディフューザ６ａの外周を回転する。送風機の効率は、流体が移動すると低下する。この場合、流体と固体間の摩擦損失、流体自体の剪断による圧力損失などが生じる。気流の流れの乱れが大きい場合は、圧力損失が大きくなる。
【００４３】
図３Ａは、第１の実施の形態における回転ファン５とディフューザ６ａとを通る流体の流体解析による流線図である。また、図３Ｂは、比較例における回転ファン１０５とディフューザ１０６ａとを通る流体の流体解析による流線図である。図３Ｂにおける比較例として、図１０に示した構成の電動送風機における流線を示している。
【００４４】
図３Ａでは、図１におけるファンケース肩部８ｂを直角形状にして解析している。また、図３Ｂでは、図１０におけるファンケース肩部１０８ｂを円弧形状にして解析している。また、本発明のディフューザ肩部６ｅと比較例のディフューザ肩部１０６ｅとは、いずれも子午面形状が円弧状を形成するように切削（カット）している。
【００４５】
ここで、図３Ａおよび図３Ｂを比較しながら、旋回流１０により生じる騒音について説明する。
【００４６】
ディフューザ６ａから放出された空気流れは、ファンケース肩部８ｂに衝突した後、さまざまな方向に反射する。このため、旋回流１０には、乱れが生じる。
【００４７】
ここで、比較例のような構成の場合、図３Ｂの流線図の流線で示すように、流線の一部である、旋回流１０は、乱れが生じている。これは、ディフューザ１０６ａの外周から、ファンケース肩部１０８ｂまでの空間が、狭くなったことに起因していると考えられる。すなわち、比較例ではファンケース肩部１０８ｂに大きな円弧形状が形成されている。このため、ディフューザ１０６ａ外周からファンケース肩部１０８ｂまでの空間が狭くなり、ディフューザ１０６ａから放出された流れがファンケース肩部１０８ｂに衝突した後、さまざまな方向に反射して旋回流１０に乱れが生じたと考えられる。
【００４８】
一方、図３Ａに示す本発明のファンケース８を用いた場合には、ファンケース肩部８ｂは、直角に形成されている。これにより、ディフューザ６ａの外周と、ファンケース肩部８ｂとの間に、十分な空間が確保される。このため、旋回流１０が、この空間に安定して流れる。これにより、ディフューザ６ａの出口付近の圧力変動は、小さくなる。そのため、騒音が低減できる。
【００４９】
次に、図面を用いて、ファンケース肩部８ｂとエアガイド６のディフューザ肩部６ｅとの組み合わせについて説明する。
【００５０】
ここでは、上述のように本発明のファンケース肩部８ｂを直角とし、ディフューザ肩部６ｅを円弧状としている。また、本発明との比較のため、比較例１、比較例２とする電動送風機も解析した。比較例１は、図１０の構成のようにファンケース肩部１０８ｂおよびディフューザ肩部１０６ｅを円弧状としている。比較例２は、ファンケース肩部を直角とし、ディフューザ肩部には、本発明や比較例１のような切削を施していない構成としている。
【００５１】
図４Ａは、ファンケースと、ディフューザとを通る流体の、圧力波形図である。図４Ａは、本発明、比較例１および比較例２の３種類について、流体解析にて圧力波形を算出した結果であり、回転角（ｄｅｇ）に対する圧力（Ｐａ）の変動を示している。
【００５２】
また、図４Ｂは、ファンケースと、ディフューザとを通る流体の、圧力振幅図である。図４Ｂは、上述の３種類について、流体解析にて圧力振幅を算出した結果である。図４Ｂは、縦軸を圧力振幅とし、横軸を、波形での基本波を１Ｎｚ次数とし、その整数倍の高調波成分を２Ｎｚ次数、３Ｎｚ次数などとして、図４Ａのような波形における各次数での圧力振幅を示している。
【００５３】
比較例１では、ファンケース肩部１０８ｂおよびディフューザ肩部１０６ｅを円弧状としているため、上述したようにディフューザとファンケース肩部との空間が狭くなる。このため、旋回流１０が流れにくくなり、図４Ａや図４Ｂに示すように圧力変動も大きくなると考えられる。
【００５４】
また、比較例２では、ディフューザ肩部がカットされていないので、やはり、ディフューザと、ファンケース肩部との空間が狭くなる。そのため、旋回流１０が流れにくくなり、旋回流１０は、ディフューザ肩部が障害となって振動してしまい、図４Ａに示すように圧力変動が大きくなる。その結果、送風機の低騒音化に対しては、本発明や比較例１の構成よりも、悪化すると考えられる。
【００５５】
このような比較例１および比較例２に対して、本実施の形態では、ファンケース肩部８ｂを直角とし、ディフューザ肩部６ｅを円弧状として、旋回流１０の流れを妨げないように、ディフューザ６ａとファンケース肩部８ｂとの空間を十分に確保している。
【００５６】
本実施の形態では、このようにディフューザ６ａのディフューザ肩部６ｅをカットし、ファンケース肩部８ｂを直角で構成して旋回流１０の乱れを抑制し、出力を低下させることなく騒音を低減している。
【００５７】
なお、以上の説明では、ファンケース８のファンケース肩部８ｂ自体を直角に形成するような例を挙げて説明したが、他の構成によっても、ファンケース肩部８ｂに直角状の構造を形成することも可能である。
【００５８】
図５Ａは、第１の実施の形態における、電動送風機５０の変形例の断面図である。また、図５Ｂは、第１の実施の形態における、電動送風機５０の他の変形例の断面図である。
【００５９】
図５Ａでは、ディフューザ６ａとファンケース８におけるファン対面部８ｃの外周部との間に、直角形成部品１１ａを配設している。他の例として、図５Ｂは、ファンケース８における円筒部８ｄの内面側に直角形成部品１１ｂを配設している。そして、ファンケース肩部８ｂに直角状の構造を形成するため、直角形成部品１１ａや直角形成部品１１ｂがファンケース肩部８ｂに接した構成としている。
【００６０】
一般的にファンケースは、板金で製作されることが多いので、ファンケース肩部を直角で構成することが困難な場合が生じる。このように直角形成部品１１ａおよび直角形成部品１１ｂを用いることにより、ファンケース肩部を直角にすることができる。
【００６１】
以上説明したように、本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。また、ファンケースは、回転ファンと対面して径方向に広がるファン対面部と、ファン対面部の最外周箇所から軸方向に曲がるファンケース肩部と、ファンケース肩部から軸方向に円筒状に延伸する円筒部とを有する。そして、ファンケース肩部を、実質的に直角に曲がるように形成した構成である。
【００６２】
これにより、ディフューザ肩部が実質的に直角であるので、ディフューザとファンケース肩部との空間が広くなる。そのため、ディフューザとファンケースとの間を流れる旋回流が流れやすくなる。したがって、本発明の電動送風機によれば、送風機の出力を低下させることなく騒音を低下させることができ、搭載する機器の低騒音化を実現することができる。
【００６３】
（第２の実施の形態）
以下、第２の実施の形態について、図面を用いて説明する。第１の実施の形態と同じ構成要素は、同じ符号を用いて記載し、同じ構成要素の詳細な説明は省略する。また、第１の実施の形態との比較において、第２の実施の形態では、ファンケース肩部８ｂを円弧状としている。
【００６４】
図６Ａは、第２の実施の形態における、ディフューザ６ａの断面図である。また、図６Ｂは、第２の実施の形態における、ファンケース８の断面図である。
【００６５】
図６Ａに示すように、ディフューザ６ａのディフューザ肩部６ｅは、斜線部分で示されている部分が切削によりカットされ、子午面において円弧状を有するようにディフューザ肩部６ｅが形成されている。また、図６Ｂに示すように、ファンケース８のファンケース肩部８ｂにも、子午面において小さな円弧状を有するようにファンケース肩部８ｂが形成されている。すなわち、本実施の形態では、ファンケース肩部８ｂに周方向のフィレットを形成している。
【００６６】
このように構成した、第２の実施の形態における電動送風機５０において発生する騒音について、図を用いて説明する。
【００６７】
図７は、ディフューザ肩部６ｅと、ファンケース肩部８ｂとの円弧形状の半径比に対するディフューザ６ａ出口付近の圧力変動を示す図である。図７は、図６Ａおよび図６Ｂに示すような、ディフューザ肩部６ｅを円弧形状でカットし、ファンケース肩部８ｂを円弧形状でカットした構成における圧力変動を示す。
【００６８】
図７の縦軸は、ディフューザ６ａの出口付近の圧力変動（圧力波形の振幅）を示す。図７の横軸は、ディフューザ肩部６ｅの円弧の半径寸法に対する、ファンケース肩部８ｂの円弧の半径寸法の半径比を示している。すなわち、例えば、円弧の半径比が０のとき、ファンケース肩部８ｂが直角である。また、図７の圧力振幅は、ディフューザ肩部６ｅの円弧の半径と、ファンケース肩部８ｂの円弧の半径とが等しい場合を１００％として示している。
【００６９】
図７に示すように、円弧の半径比が０．５以下、すなわちカット量比を０．２５以下にすることにより、円弧の半径比が１のときと比較して、圧力変動が約１０％低減する。これにより、実機においても静音化の効果が現れるレベルとなり、静音化を図ることができる。
【００７０】
また、図７に示すように、円弧の半径比が、０（直角）から０．２までは、圧力振幅が、ほぼ同等である。これにより、騒音を低減させる効果はほぼ同じである。すなわち、第１の実施の形態のようにファンケース肩部８ｂを直角にまでする必要はなく、ある程度の円弧形状を有した形状であれば十分に騒音を低減できる。
【００７１】
この結果より、円弧の半径比を０．５以下とすることで、十分な低騒音化を図ることができる。すなわち、ディフューザ肩部６ｅの円弧半径を基準にすると、ファンケース肩部８ｂの円弧半径をディフューザ肩部６ｅの円弧半径の半分以下とすればよい。また、ファンケース肩部８ｂを基準にすると、ディフューザ肩部６ｅの円弧半径をファンケース肩部８ｂの円弧半径の２倍以上とすればよい。
【００７２】
また、以上、円弧の半径比に基づき説明したが、ファンケース肩部８ｂとディフューザ肩部６ｅとの切削面積に基づく比であってもよい。すなわち、切削面積は半径の２乗に比例するため、ファンケース肩部８ｂの円弧を形成するための子午面における切削面積を、ディフューザ肩部６ｅの円弧を形成するための子午面における切削面積の４分の１以下としてもよい。
【００７３】
図８Ａは、ディフューザ肩部６ｅと、ファンケース肩部８ｂとの円弧形状の半径比の異なる騒音波形図である。つまり、図８Ａは、騒音の周波数分析結果を示している。また、図８Ｂは、ディフューザ肩部６ｅと、ファンケース肩部８ｂとの円弧形状の半径比の異なる騒音波形の比較図である。つまり、図８Ｂは、図８Ａにおける基本波のＮｚ音、２倍高調波の２Ｎｚ音、３倍高調波の３Ｎｚ音の強度比較を示す図である。
【００７４】
図８Ａおよび図８Ｂにおいて、半径比０．７と、０．２との実験による騒音の波形の比較を示している。図８Ａおよび図８Ｂに示すように、半径比０．２の場合には送風機の騒音として問題となるＮｚ音が、大きく低減している。さらに、図に示すように、Ｎｚ音の倍音である２Ｎｚおよび３Ｎｚの周波数の騒音に対しても、低減効果がある。
【００７５】
また、電動機への入力を同等にした場合の電動送風機５０の効率を比較した結果、実験によると、効率などの特性曲線には、ほとんど変化がない傾向がある。
【００７６】
さらに、本発明の電動送風機５０を、電気掃除機に搭載することにより、強い吸引力を確保しつつ騒音を低減することができるので、掃除性能を向上させることができる。
【００７７】
ここでは、ディフューザ肩部の形状と、ファンケース肩部８ｂの形状とが円弧形状で構成されている例を示したが、これに限られることなく、流路が確保できればいずれの形状でもよい。
【００７８】
以上説明したように、本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。ファンケースは、回転ファンと対面して径方向に広がるファン対面部と、ファン対面部の最外周箇所から軸方向に円弧状に曲がるファンケース肩部と、肩部から軸方向に円筒状に延伸する円筒部とを有する。ディフューザ翼は、ディフューザの風路出口側における角部を円弧状に切削したディフューザ肩部を有する。そして、ファンケース肩部とディフューザ肩部との子午面において、ファンケース肩部の円弧半径を、ディフューザ肩部の円弧半径の半分以下とした構成である。
【００７９】
これにより、ディフューザ肩部を直角としなくても、十分な低騒音化を図ることができる。したがって、本発明の電動送風機によれば、送風機の出力を低下させることなく騒音を低下させることができ、搭載する機器の低騒音化を実現することができる。
【００８０】
（第３の実施の形態）
さらに、上述した実施の形態の電動送風機５０は、電気掃除機に搭載してもよい。第１の実施の形態や第２の実施の形態の電動送風機５０を電気掃除機に搭載した例について説明を行う。
【００８１】
図９は、本発明の第３の実施の形態における電気掃除機の外観図である。
【００８２】
図９に示すように、掃除機本体４１の外部には、車輪４２およびキャスター４３が取り付けられている。これにより、掃除機本体４１は、床面を自在に移動できる。
【００８３】
掃除機本体４１は、掃除機本体４１の下方に設けられた吸引口４５に、吸引ホース４６、およびハンドル４７を形成した延長管４８が順次接続されている。吸込具４９は、延長管４８の先端に取り付けられている。
【００８４】
掃除機本体４１は、上述の実施の形態の電動送風機５０を内蔵する。さらに、電動送風機５０は、電動機７を備える。集塵ケース４４は、掃除機本体４１に対し、着脱自在に設けられている。集塵ケース４４は、塵埃を含む空気を取り入れる。これにより、本体の大きさを大型化したり、重量化したりすることなく、騒音を低減させることができる。電気掃除機は、強い吸引力を確保することができる。これにより、電気掃除機の、掃除性能を向上させることができる。
【産業上の利用可能性】
【００８５】
以上述べたように、本発明の電動送風機およびそれを備えた電気掃除機によれば、低騒音、高出力化を図ることができる。したがって、本発明は、家庭用および産業機器等の掃除機などに有用である。
【符号の説明】
【００８６】
１，１０１    固定子
２，１０２    回転子
３，１０３    ブラケット
４，１０４    出力軸
５，１０５    回転ファン
５ａ    側板
５ｂ，１０５ｂ    開口部
５ｃ    主板
５ｄ，１０５ｄ    羽根
５ｅ    後縁
５ｆ    圧力面
５ｇ    負圧面
６ａ，１０６ａ    ディフューザ
６，１０６    エアガイド
６ｂ，１０６ｂ    案内翼
６ｃ，１０６ｃ    仕切板
６ｄ    仕切板傾斜部
６ｅ，１０６ｅ    ディフューザ肩部
６ｈ    流路入口
７，５１    電動機
８，１０８    ファンケース
８ａ，１０８ａ    空気吸入口
８ｂ，１０８ｂ    ファンケース肩部
８ｃ，１０８ｃ    ファン対面部
８ｄ，１０８ｄ    円筒部
９ｂ，１０９ｂ    戻り流路
９ａ    ディフューザ流路
１０    旋回流
１１    界磁コア
１１ａ，１１ｂ    直角形成部品
１２    界磁巻線
１９    閉流路
２１    電機子コア
２２    電機子巻線
２３    整流子
３０    ブラシ部
３１    ブラシ保持器
３２    カーボンブラシ
３５    軸受
４１    掃除機本体
４２    車輪
４３    キャスター
４４    集塵ケース
４５    吸引口
４６    吸引ホース
４７    ハンドル
４８    延長管
４９    吸込具
５０，１５０    電動送風機
【図１】
2012111318.tif 000003
【図２】
2012111318.tif 000004
【図３Ａ】
2012111318.tif 000005
【図３Ｂ】
2012111318.tif 000006
【図４Ａ】
2012111318.tif 000007
【図４Ｂ】
2012111318.tif 000008
【図５Ａ】
2012111318.tif 000009
【図５Ｂ】
2012111318.tif 000010
【図６Ａ】
2012111318.tif 000011
【図６Ｂ】
2012111318.tif 000012
【図７】
2012111318.tif 000013
【図８Ａ】
2012111318.tif 000014
【図８Ｂ】
2012111318.tif 000015
【図９】
2012111318.tif 000016
【図１０】
2012111318.tif 000017
【図１１】
2012111318.tif 000018
【手続補正書】
【提出日】平成24年7月19日(2012.7.19)
【手続補正１】
【補正対象書類名】明細書
【補正対象項目名】全文
【補正方法】変更
【補正の内容】
【発明の詳細な説明】
【技術分野】
【０００１】
本発明は、電動送風機およびそれを備えた電気掃除機に関する。
【背景技術】
【０００２】
従来、掃除機等に用いられる電動送風機に対して低騒音化を図る検討がされてきた。このような電動送風機は、回転ファン１０５の遠心力により得られた動圧をエアガイドにより静圧に変換して空気出力を発生する。
【０００３】
図１０は、従来の電動送風機を示す断面図である。図１０に示す電動送風機１５０は、ブラケット１０３において、電動機部としての固定子１０１および回転子１０２を取り付けている。ブラケット１０３から突出した回転子１０２の出力軸１０４の先端には、回転ファン１０５が取り付けられている。また、回転ファン１０５と電動機部との間を仕切るようにして、エアガイド１０６が取り付けられている。この電動機部を駆動することにより、出力軸１０４に固定された回転ファン１０５が回転し、開口部１０５ｂから空気を吸引する流れが生じる。この流れは軸方向から半径方向に９０度曲げられ、回転ファン１０５の羽根１０５ｄによって動圧を与えられながら、半径方向外側に向かって流れる。回転ファン１０５から流出された流れは、回転ファン１０５の外周側に配置されたエアガイド１０６のディフューザ１０６ａから構成される流路を通過することによって減速され、動圧から静圧に変換される。ディフューザ１０６ａを通過した流れは、エアガイド１０６の外周とファンケース１０８の円筒部１０８ｄにて構成される戻り流路１０９ｂを通って１８０度方向転換される。さらに、この流れは、仕切板１０６ｃを介し、エアガイド１０６の案内翼１０６ｂにより電動機内部に誘導され、電動機部を冷却しながら外に放出される。
【０００４】
また、図１０に示すように、ファンケース１０８は、ファン対面部１０８ｃとファンケース肩部１０８ｂと円筒部１０８ｄとを有した形状を成している。ファン対面部１０８ｃは、回転ファン１０５と対面し、空気吸入口１０８ａを中心として径方向に広がっている。ファンケース肩部１０８ｂは、ファン対面部１０８ｃの最外周箇所から出力軸１０４と平行するように曲がっている。そして、円筒部１０８ｄは、ファンケース肩部１０８ｂから出力軸１０４に平行して円筒状に延伸している。そして、ディフューザ１０６ａを通過した空気流れを１８０度方向転換させるために、ファンケース肩部１０８ｂには、大きな円弧状となるフィレットが形成されている。ここで、フィレットとは、面どうしの接合部に対して、その接合部を円弧状の断面でつないで丸めた加工形状である。また、ファンケース肩部１０８ｂに対応して、ディフューザ１０６ａの流路出口側の角部にも、ディフューザ肩部１０６ｅとして円弧状を形成するように切削した加工が施されている。
【０００５】
図１１は、従来の電動送風機のファンケース肩部１０８ｂとディフューザ肩部１０６ｅとの形状を模式的に示した図である。図１１では、ファンケース肩部１０８ｂとディフューザ肩部１０６ｅとの子午面形状で示している。すなわち、図１１は、ファンケース肩部１０８ｂとディフューザ肩部１０６ｅとを出力軸１０４に沿って切った断面形状であり、この断面形状には、ディフューザ肩部１０６ｅの形状がこの断面に回転投影されている。図１１に示すように、従来のファンケース肩部１０８ｂおよびディフューザ肩部１０６ｅは、いずれも半径Ｒの円弧状のフィレットが形成されている。従来のファンケース肩部１０８ｂとディフューザ肩部１０６ｅとの円弧半径比は、同じである。
【０００６】
また、このような電動送風機は、設計手法として、使用される電気機器の動作点、たとえば流量や圧力や回転数から、回転ファン、エアガイドそれぞれの内径や外径、入口高さや出口高さが決定される。そして、電動送風機の低騒音化を図るためには、設計に必要なこれらの要素に加えて、圧力や流速の急激な変動の少ない流路の形状を形成することが必要である。これにより、乱流などの発生を抑制することできるためである。そのために、翼形状設計に加えて、エアガイドの各部の形状などを工夫したり（例えば、特許文献１、２参照）、回転ファンの後縁とディフューザの前縁との距離を大きくして、回転ファンの羽根後縁がディフューザ前縁を横切るときの圧力変動を抑えたり、回転ファンの回転数を低下させたりするなどの手段が採られている。
【０００７】
しかしながら、上述した回転ファンの後縁とディフューザの前縁の距離を大きくするような手法では、羽根後縁で空気のすべりや、還流が大きくなることによる損失の増加が起こる。さらに、電動送風機の回転数を低下させると、回転ファンが発生する動圧の減少により、送風効率が低下する。
【０００８】
また、掃除機などの製品本体において防音材や騒音減衰機構などを設けることにより低騒音化を図る手段もある。しかし、これらは空気の流れる流路圧損の増加や、製品本体の重量化につながるので、掃除機の吸引力の低下や操作性が悪化する。
【先行技術文献】
【特許文献】
【０００９】
【特許文献１】特開昭６１−４０４９５号公報
【特許文献２】特開２００５−２２０８５３号公報
【発明の概要】
【００１０】
本発明は、送風機の出力を低下させることなく騒音を低下させることができる電気機器等を提供するものである。
【００１１】
本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。また、ファンケースは、回転ファンと対面して径方向に広がるファン対面部と、ファン対面部の最外周箇所から軸方向に曲がるファンケース肩部と、ファンケース肩部から軸方向に円筒状に延伸する円筒部とを有する。そして、ファンケース肩部を、実質的に直角に曲がるように形成した構成である。
【００１２】
また、本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。ファンケースは、回転ファンと対面して径方向に広がるファン対面部と、ファン対面部の最外周箇所から軸方向に円弧状に曲がるファンケース肩部と、肩部から軸方向に円筒状に延伸する円筒部とを有する。ディフューザ翼は、ディフューザの風路出口側における角部を円弧状に切削したディフューザ肩部を有する。そして、ファンケース肩部とディフューザ肩部との子午面において、ファンケース肩部の円弧半径を、ディフューザ肩部の円弧半径の半分以下とした構成である。
【００１３】
上記構成によれば、ディフューザ外周で発生する旋回流が、ディフューザ後縁からファンケース肩部までの空間で構成される流路に安定して流れる。このため、乱流が抑制されて圧力変動が減少し、本電動送風機の騒音を低減することができる。
【００１４】
また、本発明の電気掃除機は、上記電動送風機を備える。
【００１５】
上記構成によれば、本体の大きさを大きくしたり、重くしたりすることなく、強い吸引力を確保したまま、本電気掃除機の運転音を低減させることができる。
【００１６】
したがって、本発明の電動送風機によれば、送風機の出力を低下させることなく騒音を低下させることができ、搭載する機器の低騒音化を実現することが可能である。
【図面の簡単な説明】
【００１７】
【図１】本発明の第１の実施の形態における電動送風機の断面図
【図２】回転ファンおよびエアガイドの上面図
【図３Ａ】第１の実施の形態における回転ファンと、ディフューザとを通る流体の流体解析による流線図
【図３Ｂ】比較例における回転ファンと、ディフューザとを通る流体の流体解析による流線図
【図４Ａ】ファンケースと、ディフューザとを通る流体の、圧力波形図
【図４Ｂ】ファンケースと、ディフューザとを通る流体の、圧力振幅図
【図５Ａ】第１の実施の形態における、電動送風機の変形例の断面図
【図５Ｂ】第１の実施の形態における、電動送風機の他の変形例の断面図
【図６Ａ】第２の実施の形態における、ディフューザの断面図
【図６Ｂ】第２の実施の形態における、ファンケースの断面図
【図７】ディフューザ肩部と、ファンケース肩部との円弧形状の半径比に対するディフューザ出口付近の圧力変動を示す図
【図８Ａ】ディフューザ肩部と、ファンケース肩部との円弧形状の半径比の異なる騒音波形図
【図８Ｂ】ディフューザ肩部と、ファンケース肩部との円弧形状の半径比の異なる騒音波形の比較図
【図９】本発明の第３の実施の形態における電気掃除機の外観図
【図１０】従来の電動送風機を示す断面図
【図１１】従来の電動送風機のファンケース肩部とディフューザ肩部との形状を模式的に示した図
【発明を実施するための形態】
【００１８】
以下、図面を参照しながら、本発明の実施の形態について説明する。
【００１９】
（第１の実施の形態）
本発明の第１の実施の形態における、電気機器等に用いられる電動送風機５０について説明する。
【００２０】
図１は、本発明の第１の実施の形態における、電動送風機５０の断面図である。
【００２１】
電動送風機５０は、電動機７と、ブラケット３と、回転ファン５と、エアガイド６と、ファンケース８とを備えている。また、電動機７は、固定子１と、回転子２と、ブラシ部３０とを備えている。
【００２２】
電動機７において、固定子１は、界磁コア１１に、界磁巻線１２が巻回されて形成されている。
【００２３】
回転子２は、電機子コア２１、電機子巻線２２、整流子２３および出力軸４により構成されている。電機子巻線２２は、部分的に整流子２３に接続されている。電機子コア２１には、電機子巻線２２が巻回されている。この整流子２３と、電機子コア２１とは、出力軸４に結合されている。このような回転子２は、固定子１の内側に設けられ、出力軸４を中心に、回転自在に支持されている。
【００２４】
ブラケット３の内側には、固定子１が固定されている。また、ブラケット３には、ブラシ保持器３１が固定されている。ブラシ保持器３１の内部には、一対のカーボンブラシ３２が保持されている。その一対のカーボンブラシ３２は、整流子２３に当接している。
【００２５】
ブラシ部３０は、このようなカーボンブラシ３２と、ブラシ保持器３１とを備えている。
【００２６】
出力軸４は、その長手方向である軸方向に延伸し、出力軸４の一端は、ブラケット３の上部から突出している。出力軸４は、回転自在となるように出力軸４の両端が、それぞれ軸受３５によって支承されている。
【００２７】
また、ブラケット３から突出した出力軸４の端部に回転ファン５が、取り付けられている。エアガイド６は、回転ファン５の外周に、通風路を形成するように設けられている。
【００２８】
回転ファン５は、側板５ａと主板５ｃとを有するとともに、側板５ａと主板５ｃとの間に、羽根５ｄが配置固定されている。回転ファン５は、それぞれの羽根５ｄが等間隔で渦巻き状となるように、その主板５ｃ上に複数の羽根５ｄを有している。さらに、回転ファン５は、空気を吸引するために、その中央部での側板５ａに開口部５ｂが形成されている。
【００２９】
回転ファン５の外周には、通風路を形成するようにエアガイド６が設けられている。そして、ブラケット３の開口した側を覆うように、ファンケース８が取り付けられている。ファンケース８は、中央部に空気吸入口８ａを有し、エアガイド６および回転ファン５を覆うように配置されている。
【００３０】
ファンケース８は、ファン対面部８ｃとファンケース肩部８ｂと円筒部８ｄとを有した形状を成している。ファン対面部８ｃは、回転ファン５と軸方向に対面し、空気吸入口８ａを中心として径方向へ円形状に広がっている。ファンケース肩部８ｂは、ファン対面部８ｃの最外周箇所から電動機７側へと、軸方向に曲がっている。そして、円筒部８ｄは、ファンケース肩部８ｂから電動機７側へと、軸方向に円筒状に延伸している。
【００３１】
エアガイド６は、仕切板６ｃと、ディフューザ６ａと、仕切板傾斜部６ｄと、案内翼６ｂとを有する。
【００３２】
仕切板傾斜部６ｄは、ディフューザ６ａの底面に当接して、傾斜するように設けられる。すなわち、エアガイド６の吸入口側から外周方向の出口側に向けて、電動機７を配置した側へと傾斜している。
【００３３】
さらに、本実施の形態では、ファンケース８において、ファンケース肩部８ｂを実質的に直角に曲がるように形成している。より具体的には、ファンケース８の内面側でのファンケース肩部８ｂを略直角の形状とし、この形状が周方向に連続するように形成している。本実施の形態では、このようなファンケース肩部８ｂを設けることにより、ディフューザ６ａの外周とファンケース肩部８ｂとの間に十分な空間を確保し、この空間における旋回流の安定化を図っている。
【００３４】
以上のように構成された電動送風機５０において、電動機７に、外部の電源から電力が供給されると、電機子電流が、カーボンブラシ３２及び整流子２３を介して電機子巻線２２に流れる。また、固定子１の界磁巻線１２には、界磁電流が流れる。そして、界磁電流によって界磁コア１１で発生した磁束と、電機子巻線２２を流れる電機子電流との間で力が発生する。これにより、出力軸４が回転する。
【００３５】
出力軸４の回転に伴い、出力軸４にナットなどで固定された回転ファン５が回転する。この回転ファン５の回転により、回転ファン５の内部の空気の流速が増加し、側板５ａに設けられた開口部５ｂには、吸引する空気の流れが生じる。この流れは、軸方向から径方向に９０度程度曲げられ、羽根５ｄによって動圧を与えられながら、径方向外側に向かって流れる。
【００３６】
回転ファン５から流出した空気は、回転ファン５の外周側に配置されたエアガイド６へと導かれる。そして、この流れは、エアガイド６の表面側にあるディフューザ６ａで形成される閉流路を通過することによって減速される。
【００３７】
ディフューザ６ａは、複数のディフューザ翼で構成され、ディフューザ翼間に閉流路が形成される。これにより、吸入された空気は、エアガイド６によって動圧から静圧に変換される。
【００３８】
閉流路を通過した気流は、エアガイド６の外周と、ファンケース８の内面とにより構成される戻り流路９ｂを通って１８０度方向転換される。また、気流を効率よく方向転換させるため、ディフューザ６ａの閉流路出口側の角部には、ディフューザ肩部６ｅとして円弧状となるＲ（丸み）形状を形成している。方向転換された気流は、仕切板６ｃを介してエアガイド６の裏面側にある案内翼６ｂにより、電動機７の内部に誘導される。さらに、気流は、電動機７を冷却しながら外に放出される。
【００３９】
図２は、回転ファン５およびエアガイド６の上面図である。
【００４０】
回転ファン５は、図２に示す矢印の方向に回転する。回転ファン５の回転に伴い、羽根５ｄの圧力面５ｆは流体に対して大きな仕事をするため、圧力面５ｆに高い圧力がかかる。反対に、羽根５ｄの負圧面５ｇは流体に対して行う仕事が小さいため、負圧面５ｇには、圧力面５ｆよりも低い圧力がかかる。したがって、ディフューザ６ａの流路入口６ｈに対して、圧力面５ｆ側が対面しているときは、閉流路１９内の圧力が高くなり、負圧面５ｇ側が対面しているときは、閉流路１９内の圧力が低くなる。その結果、回転ファン５の回転に伴う閉流路１９の圧力の変化率は、回転ファン５の後縁５ｅが通過する際に最も大きくなる。したがって、静止座標系に存在するエアガイド６には、回転ファン５の一回転につき、羽根５ｄの枚数倍の圧力変動が生じる。
【００４１】
回転ファン５の後縁５ｅでのこのような圧力変動が、電動送風機５０から発生する騒音のもっとも大きな原因となっている。
【００４２】
回転ファン５の後縁５ｅから放出された空気の流れは、ディフューザ流路９ａを通過して、戻り流路９ｂで隣接するディフューザ流路９ａからの流れと合成される。この流れのうち、負荷点に応じた流量の流体は、戻り流路９ｂから案内翼６ｂ（図１）を経て電動機７（図１）側に流れる。それ以外の流体は、旋回流としてディフューザ６ａの外周を回転する。送風機の効率は、流体が移動すると低下する。この場合、流体と固体間の摩擦損失、流体自体の剪断による圧力損失などが生じる。気流の流れの乱れが大きい場合は、圧力損失が大きくなる。
【００４３】
図３Ａは、第１の実施の形態における回転ファン５とディフューザ６ａとを通る流体の流体解析による流線図である。また、図３Ｂは、比較例における回転ファン１０５とディフューザ１０６ａとを通る流体の流体解析による流線図である。図３Ｂにおける比較例として、図１０に示した構成の電動送風機における流線を示している。
【００４４】
図３Ａでは、図１におけるファンケース肩部８ｂを直角形状にして解析している。また、図３Ｂでは、図１０におけるファンケース肩部１０８ｂを円弧形状にして解析している。また、本発明のディフューザ肩部６ｅと比較例のディフューザ肩部１０６ｅとは、いずれも子午面形状が円弧状を形成するように切削（カット）している。
【００４５】
ここで、図３Ａおよび図３Ｂを比較しながら、旋回流１０により生じる騒音について説明する。
【００４６】
ディフューザ６ａから放出された空気流れは、ファンケース肩部８ｂに衝突した後、さまざまな方向に反射する。このため、旋回流１０には、乱れが生じる。
【００４７】
ここで、比較例のような構成の場合、図３Ｂの流線図の流線で示すように、流線の一部である、旋回流１０は、乱れが生じている。これは、ディフューザ１０６ａの外周から、ファンケース肩部１０８ｂまでの空間が、狭くなったことに起因していると考えられる。すなわち、比較例ではファンケース肩部１０８ｂに大きな円弧形状が形成されている。このため、ディフューザ１０６ａ外周からファンケース肩部１０８ｂまでの空間が狭くなり、ディフューザ１０６ａから放出された流れがファンケース肩部１０８ｂに衝突した後、さまざまな方向に反射して旋回流１０に乱れが生じたと考えられる。
【００４８】
一方、図３Ａに示す本発明のファンケース８を用いた場合には、ファンケース肩部８ｂは、直角に形成されている。これにより、ディフューザ６ａの外周と、ファンケース肩部８ｂとの間に、十分な空間が確保される。このため、旋回流１０が、この空間に安定して流れる。これにより、ディフューザ６ａの出口付近の圧力変動は、小さくなる。そのため、騒音が低減できる。
【００４９】
次に、図面を用いて、ファンケース肩部８ｂとエアガイド６のディフューザ肩部６ｅとの組み合わせについて説明する。
【００５０】
ここでは、上述のように本発明のファンケース肩部８ｂを直角とし、ディフューザ肩部６ｅを円弧状としている。また、本発明との比較のため、比較例１、比較例２とする電動送風機も解析した。比較例１は、図１０の構成のようにファンケース肩部１０８ｂおよびディフューザ肩部１０６ｅを円弧状としている。比較例２は、ファンケース肩部を直角とし、ディフューザ肩部には、本発明や比較例１のような切削を施していない構成としている。
【００５１】
図４Ａは、ファンケースと、ディフューザとを通る流体の、圧力波形図である。図４Ａは、本発明、比較例１および比較例２の３種類について、流体解析にて圧力波形を算出した結果であり、回転角（ｄｅｇ）に対する圧力（Ｐａ）の変動を示している。
【００５２】
また、図４Ｂは、ファンケースと、ディフューザとを通る流体の、圧力振幅図である。図４Ｂは、上述の３種類について、流体解析にて圧力振幅を算出した結果である。図４Ｂは、縦軸を圧力振幅とし、横軸を、波形での基本波を１Ｎｚ次数とし、その整数倍の高調波成分を２Ｎｚ次数、３Ｎｚ次数などとして、図４Ａのような波形における各次数での圧力振幅を示している。
【００５３】
比較例１では、ファンケース肩部１０８ｂおよびディフューザ肩部１０６ｅを円弧状としているため、上述したようにディフューザとファンケース肩部との空間が狭くなる。このため、旋回流１０が流れにくくなり、図４Ａや図４Ｂに示すように圧力変動も大きくなると考えられる。
【００５４】
また、比較例２では、ディフューザ肩部がカットされていないので、やはり、ディフューザと、ファンケース肩部との空間が狭くなる。そのため、旋回流１０が流れにくくなり、旋回流１０は、ディフューザ肩部が障害となって振動してしまい、図４Ａに示すように圧力変動が大きくなる。その結果、送風機の低騒音化に対しては、本発明や比較例１の構成よりも、悪化すると考えられる。
【００５５】
このような比較例１および比較例２に対して、本実施の形態では、ファンケース肩部８ｂを直角とし、ディフューザ肩部６ｅを円弧状として、旋回流１０の流れを妨げないように、ディフューザ６ａとファンケース肩部８ｂとの空間を十分に確保している。
【００５６】
本実施の形態では、このようにディフューザ６ａのディフューザ肩部６ｅをカットし、ファンケース肩部８ｂを直角で構成して旋回流１０の乱れを抑制し、出力を低下させることなく騒音を低減している。
【００５７】
なお、以上の説明では、ファンケース８のファンケース肩部８ｂ自体を直角に形成するような例を挙げて説明したが、他の構成によっても、ファンケース肩部８ｂに直角状の構造を形成することも可能である。
【００５８】
図５Ａは、第１の実施の形態における、電動送風機５０の変形例の断面図である。また、図５Ｂは、第１の実施の形態における、電動送風機５０の他の変形例の断面図である。
【００５９】
図５Ａでは、ディフューザ６ａとファンケース８におけるファン対面部８ｃの外周部との間に、直角形成部品１１ａを配設している。他の例として、図５Ｂは、ファンケース８における円筒部８ｄの内面側に直角形成部品１１ｂを配設している。そして、ファンケース肩部８ｂに直角状の構造を形成するため、直角形成部品１１ａや直角形成部品１１ｂがファンケース肩部８ｂに接した構成としている。
【００６０】
一般的にファンケースは、板金で製作されることが多いので、ファンケース肩部を直角で構成することが困難な場合が生じる。このように直角形成部品１１ａおよび直角形成部品１１ｂを用いることにより、ファンケース肩部を直角にすることができる。
【００６１】
以上説明したように、本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。また、ファンケースは、回転ファンと対面して径方向に広がるファン対面部と、ファン対面部の最外周箇所から軸方向に曲がるファンケース肩部と、ファンケース肩部から軸方向に円筒状に延伸する円筒部とを有する。そして、ファンケース肩部を、実質的に直角に曲がるように形成した構成である。
【００６２】
これにより、ディフューザ肩部が実質的に直角であるので、ディフューザとファンケース肩部との空間が広くなる。そのため、ディフューザとファンケースとの間を流れる旋回流が流れやすくなる。したがって、本発明の電動送風機によれば、送風機の出力を低下させることなく騒音を低下させることができ、搭載する機器の低騒音化を実現することができる。
【００６３】
（第２の実施の形態）
以下、第２の実施の形態について、図面を用いて説明する。第１の実施の形態と同じ構成要素は、同じ符号を用いて記載し、同じ構成要素の詳細な説明は省略する。また、第１の実施の形態との比較において、第２の実施の形態では、ファンケース肩部８ｂを円弧状としている。
【００６４】
図６Ａは、第２の実施の形態における、ディフューザ６ａの断面図である。また、図６Ｂは、第２の実施の形態における、ファンケース８の断面図である。
【００６５】
図６Ａに示すように、ディフューザ６ａのディフューザ肩部６ｅは、斜線部分で示されている部分が切削によりカットされ、子午面において円弧状を有するようにディフューザ肩部６ｅが形成されている。また、図６Ｂに示すように、ファンケース８のファンケース肩部８ｂにも、子午面において小さな円弧状を有するようにファンケース肩部８ｂが形成されている。すなわち、本実施の形態では、ファンケース肩部８ｂに周方向のフィレットを形成している。
【００６６】
このように構成した、第２の実施の形態における電動送風機５０において発生する騒音について、図を用いて説明する。
【００６７】
図７は、ディフューザ肩部６ｅと、ファンケース肩部８ｂとの円弧形状の半径比に対するディフューザ６ａ出口付近の圧力変動を示す図である。図７は、図６Ａおよび図６Ｂに示すような、ディフューザ肩部６ｅを円弧形状でカットし、ファンケース肩部８ｂを円弧形状でカットした構成における圧力変動を示す。
【００６８】
図７の縦軸は、ディフューザ６ａの出口付近の圧力変動（圧力波形の振幅）を示す。図７の横軸は、ディフューザ肩部６ｅの円弧の半径寸法に対する、ファンケース肩部８ｂの円弧の半径寸法の半径比を示している。すなわち、例えば、円弧の半径比が０のとき、ファンケース肩部８ｂが直角である。また、図７の圧力振幅は、ディフューザ肩部６ｅの円弧の半径と、ファンケース肩部８ｂの円弧の半径とが等しい場合を１００％として示している。
【００６９】
図７に示すように、円弧の半径比が０．５以下、すなわちカット量比を０．２５以下にすることにより、円弧の半径比が１のときと比較して、圧力変動が約１０％低減する。これにより、実機においても静音化の効果が現れるレベルとなり、静音化を図ることができる。
【００７０】
また、図７に示すように、円弧の半径比が、０（直角）から０．２までは、圧力振幅が、ほぼ同等である。これにより、騒音を低減させる効果はほぼ同じである。すなわち、第１の実施の形態のようにファンケース肩部８ｂを直角にまでする必要はなく、ある程度の円弧形状を有した形状であれば十分に騒音を低減できる。
【００７１】
この結果より、円弧の半径比を０．５以下とすることで、十分な低騒音化を図ることができる。すなわち、ディフューザ肩部６ｅの円弧半径を基準にすると、ファンケース肩部８ｂの円弧半径をディフューザ肩部６ｅの円弧半径の半分以下とすればよい。また、ファンケース肩部８ｂを基準にすると、ディフューザ肩部６ｅの円弧半径をファンケース肩部８ｂの円弧半径の２倍以上とすればよい。
【００７２】
また、以上、円弧の半径比に基づき説明したが、ファンケース肩部８ｂとディフューザ肩部６ｅとの切削面積に基づく比であってもよい。すなわち、切削面積は半径の２乗に比例するため、ファンケース肩部８ｂの円弧を形成するための子午面における切削面積を、ディフューザ肩部６ｅの円弧を形成するための子午面における切削面積の４分の１以下としてもよい。
【００７３】
図８Ａは、ディフューザ肩部６ｅと、ファンケース肩部８ｂとの円弧形状の半径比の異なる騒音波形図である。つまり、図８Ａは、騒音の周波数分析結果を示している。また、図８Ｂは、ディフューザ肩部６ｅと、ファンケース肩部８ｂとの円弧形状の半径比の異なる騒音波形の比較図である。つまり、図８Ｂは、図８Ａにおける基本波のＮｚ音、２倍高調波の２Ｎｚ音、３倍高調波の３Ｎｚ音の強度比較を示す図である。
【００７４】
図８Ａおよび図８Ｂにおいて、半径比０．７と、０．２との実験による騒音の波形の比較を示している。図８Ａおよび図８Ｂに示すように、半径比０．２の場合には送風機の騒音として問題となるＮｚ音が、大きく低減している。さらに、図に示すように、Ｎｚ音の倍音である２Ｎｚおよび３Ｎｚの周波数の騒音に対しても、低減効果がある。
【００７５】
また、電動機への入力を同等にした場合の電動送風機５０の効率を比較した結果、実験によると、効率などの特性曲線には、ほとんど変化がない傾向がある。
【００７６】
さらに、本発明の電動送風機５０を、電気掃除機に搭載することにより、強い吸引力を確保しつつ騒音を低減することができるので、掃除性能を向上させることができる。
【００７７】
ここでは、ディフューザ肩部の形状と、ファンケース肩部８ｂの形状とが円弧形状で構成されている例を示したが、これに限られることなく、流路が確保できればいずれの形状でもよい。
【００７８】
以上説明したように、本発明の電動送風機は、固定子と、固定子内側に出力軸を中心として回転自在に支持された回転子と、固定子を支持するブラケットと、出力軸の軸方向の一端部に取り付けられた回転ファンと、ブラケットと回転ファンとの間に配設されたエアガイドと、中央部に空気吸入口を有し、エアガイドと回転ファンとを覆うファンケースとを備えた電動送風機である。エアガイドは、ブラケットと回転ファンとの間を仕切る仕切板と、回転ファンの外周側に配設され、複数のディフューザ翼で構成されるディフューザと、ディフューザの底面に当接して傾斜する仕切板傾斜部と、仕切板を介してディフューザの裏面に形成された案内翼とを備える。ファンケースは、回転ファンと対面して径方向に広がるファン対面部と、ファン対面部の最外周箇所から軸方向に円弧状に曲がるファンケース肩部と、肩部から軸方向に円筒状に延伸する円筒部とを有する。ディフューザ翼は、ディフューザの風路出口側における角部を円弧状に切削したディフューザ肩部を有する。そして、ファンケース肩部とディフューザ肩部との子午面において、ファンケース肩部の円弧半径を、ディフューザ肩部の円弧半径の半分以下とした構成である。
【００７９】
これにより、ディフューザ肩部を直角としなくても、十分な低騒音化を図ることができる。したがって、本発明の電動送風機によれば、送風機の出力を低下させることなく騒音を低下させることができ、搭載する機器の低騒音化を実現することができる。
【００８０】
（第３の実施の形態）
さらに、上述した実施の形態の電動送風機５０は、電気掃除機に搭載してもよい。第１の実施の形態や第２の実施の形態の電動送風機５０を電気掃除機に搭載した例について説明を行う。
【００８１】
図９は、本発明の第３の実施の形態における電気掃除機の外観図である。
【００８２】
図９に示すように、掃除機本体４１の外部には、車輪４２およびキャスター４３が取り付けられている。これにより、掃除機本体４１は、床面を自在に移動できる。
【００８３】
掃除機本体４１は、掃除機本体４１の下方に設けられた吸引口４５に、吸引ホース４６、およびハンドル４７を形成した延長管４８が順次接続されている。吸込具４９は、延長管４８の先端に取り付けられている。
【００８４】
掃除機本体４１は、上述の実施の形態の電動送風機５０を内蔵する。さらに、電動送風機５０は、電動機７を備える。集塵ケース４４は、掃除機本体４１に対し、着脱自在に設けられている。集塵ケース４４は、塵埃を含む空気を取り入れる。これにより、本体の大きさを大型化したり、重量化したりすることなく、騒音を低減させることができる。電気掃除機は、強い吸引力を確保することができる。これにより、電気掃除機の、掃除性能を向上させることができる。
【産業上の利用可能性】
【００８５】
以上述べたように、本発明の電動送風機およびそれを備えた電気掃除機によれば、低騒音、高出力化を図ることができる。したがって、本発明は、家庭用および産業機器等の掃除機などに有用である。
【符号の説明】
【００８６】
１，１０１  固定子
２，１０２  回転子
３，１０３  ブラケット
４，１０４  出力軸
５，１０５  回転ファン
５ａ  側板
５ｂ，１０５ｂ  開口部
５ｃ  主板
５ｄ，１０５ｄ  羽根
５ｅ  後縁
５ｆ  圧力面
５ｇ  負圧面
６ａ，１０６ａ  ディフューザ
６，１０６  エアガイド
６ｂ，１０６ｂ  案内翼
６ｃ，１０６ｃ  仕切板
６ｄ  仕切板傾斜部
６ｅ，１０６ｅ  ディフューザ肩部
６ｈ  流路入口
７，５１  電動機
８，１０８  ファンケース
８ａ，１０８ａ  空気吸入口
８ｂ，１０８ｂ  ファンケース肩部
８ｃ，１０８ｃ  ファン対面部
８ｄ，１０８ｄ  円筒部
９ｂ，１０９ｂ  戻り流路
９ａ  ディフューザ流路
１０  旋回流
１１  界磁コア
１１ａ，１１ｂ  直角形成部品
１２  界磁巻線
１９  閉流路
２１  電機子コア
２２  電機子巻線
２３  整流子
３０  ブラシ部
３１  ブラシ保持器
３２  カーボンブラシ
３５  軸受
４１  掃除機本体
４２  車輪
４３  キャスター
４４  集塵ケース
４５  吸引口
４６  吸引ホース
４７  ハンドル
４８  延長管
４９  吸込具
５０，１５０  電動送風機
【手続補正２】
【補正対象書類名】特許請求の範囲
【補正対象項目名】全文
【補正方法】変更
【補正の内容】
【特許請求の範囲】
【請求項１】
固定子と、前記固定子内側に出力軸を中心として回転自在に支持された回転子と、前記固定子を支持するブラケットと、前記出力軸の軸方向の一端部に取り付けられた回転ファンと、前記ブラケットと前記回転ファンとの間に配設されたエアガイドと、中央部に空気吸入口を有し、前記エアガイドと前記回転ファンとを覆うファンケースとを備えた電動送風機であって、
前記エアガイドは、
前記ブラケットと前記回転ファンとの間を仕切る仕切板と、
前記回転ファンの外周側に配設され、複数のディフューザ翼で構成されるディフューザと、
前記ディフューザの底面に当接して傾斜する仕切板傾斜部と、
前記仕切板を介して前記ディフューザの裏面に形成された案内翼とを備え、
前記ファンケースは、
前記回転ファンと対面して径方向に広がるファン対面部と、
前記ファン対面部の最外周箇所から前記軸方向に円弧状に曲がるファンケース肩部と、
前記肩部から前記軸方向に円筒状に延伸する円筒部とを有し、
前記ディフューザ翼は、前記ディフューザの風路出口側における角部を円弧状に切削したディフューザ肩部を有し、
前記ファンケース肩部の前記円弧を形成するための子午面における切削面積を、前記ディフューザ肩部の円弧を形成するための子午面における切削面積の４分の１以下としたことを特徴とする電動送風機。
【請求項２】
請求項１に記載の電動送風機を備えた電気掃除機。
【手続補正３】
【補正対象書類名】図面
【補正対象項目名】全図
【補正方法】変更
【補正の内容】
【図１】
2012111318.tif 000019
【図２】
2012111318.tif 000020
【図３Ａ】
2012111318.tif 000021
【図３Ｂ】
2012111318.tif 000022
【図４Ａ】
2012111318.tif 000023
【図４Ｂ】
2012111318.tif 000024
【図５Ａ】
2012111318.tif 000025
【図５Ｂ】
2012111318.tif 000026
【図６Ａ】
2012111318.tif 000027
【図６Ｂ】
2012111318.tif 000028
【図７】
2012111318.tif 000029
【図８Ａ】
2012111318.tif 000030
【図８Ｂ】
2012111318.tif 000031
【図９】
2012111318.tif 000032
【図１０】
2012111318.tif 000033
【図１１】
2012111318.tif 000034
【国際調査報告】
2012111318.tif 000035
2012111318.tif 000036
2012111318.tif 000037